(57)【要約】      （修正有）【課題】機器から出力される音声または機器の状態などに適した光を出力することができる光出力システムを提供する。【解決手段】光出力システム１００は、スピーカ１７０と、光出力部１３５、１３０と、スピーカ１７０から第１の音声と第２の音声とを出力させるとともに、第２の音声出力に対応して光出力部１３５、１３０に光を出力させるためのプロセッサ１１０とを備える、光出力システム１００が提供される。【選択図】図２
2018074410.tif 000002
【特許請求の範囲】
【請求項１】
スピーカと、
光出力部と、
前記スピーカから第１の音声と第２の音声とを出力させるとともに、前記第２の音声の出力に対応して前記光出力部に光を出力させるためのプロセッサとを備える、光出力システム。
【請求項２】
ディスプレイをさらに備え、
前記プロセッサは、前記ディスプレイに前記第１の音声または前記第２の音声の少なくともいずれかに対応する映像を表示させる、請求項１に記載の光出力システム。
【請求項３】
前記プロセッサは、前記ディスプレイの前記光出力部の近傍に、前記光出力部から出力される光に合わせて光を出力させる、請求項２に記載の光出力システム。
【請求項４】
前記プロセッサは、前記ディスプレイに前記第１の音声に対応する映像と前記第２の音声に対応する映像とを並べて表示させる、請求項２または３に記載の光出力システム。
【請求項５】
前記光出力部はディスプレイの一部または全部である、請求項１から４のいずれか１項に記載の光出力システム。
【請求項６】
前記第２の音声は、副音声または翻訳音声である、請求項１から５のいずれか１項に記載の光出力システム。
【請求項７】
前記第２の音声は、次の番組に関する情報を含む、請求項１から６のいずれか１項に記載の光出力システム。
【請求項８】
他の電気機器またはサーバと通信するための通信インターフェイスをさらに備え、
前記第２の音声は、前記他の電気機器または前記サーバからの情報を含む、請求項１から７のいずれか１項に記載の光出力システム。
【請求項９】
他の電気機器またはサーバと通信するための通信インターフェイスをさらに備え、
前記プロセッサは、前記他の電気機器または前記サーバからの情報に基づいて、前記光出力部から出力される光の色を設定する、請求項１から８のいずれか１項に記載の光出力システム。
【請求項１０】
マイクをさらに備え、
前記プロセッサは、前記マイクから入力された音に基づいて前記第２の音声を前記スピーカに出力させる、請求項１から９のいずれか１項に記載の光出力システム。
【請求項１１】
前記プロセッサは、取得したテキストに基づいて前記第２の音声を前記スピーカに出力させる、請求項１から１０のいずれか１項に記載の光出力システム。
【請求項１２】
スピーカと、
光出力部と、
前記スピーカから第１の音声と第２の音声とを出力させるとともに、前記第２の音声の出力に対応して前記光出力部に光を出力させるためのプロセッサとを備える、テレビ。
【請求項１３】
スピーカと光出力部とを含む光出力システムの制御方法であって、
前記スピーカから第１の音声と第２の音声とを出力させるステップと、
前記第２の音声の出力に対応して前記光出力部に光を出力させるステップと、を備える光出力システムの制御方法。
【請求項１４】
スピーカと光出力部とプロセッサとを含む光出力システムのためのプログラムであって、
前記スピーカから第１の音声と第２の音声とを出力させるステップと、
前記第２の音声の出力に対応して前記光出力部に光を出力させるステップと、を前記プロセッサに実行させるためのプログラム。
【請求項１５】
スピーカと光出力部とプロセッサとを含む光出力システムのためのプログラムを記録するコンピュータ読取可能な記録媒体であって、
前記スピーカから第１の音声と第２の音声とを出力させるステップと、
前記第２の音声の出力に対応して前記光出力部に光を出力させるステップと、を前記プロセッサに実行させるためのプログラムを記録するコンピュータ読取可能な記録媒体。
【発明の詳細な説明】
【技術分野】
【０００１】
本発明の一態様は、機器からの光の出力方法に関し、特に機器から出力される音声または機器の状態などに応じた光を出力するための技術に関する。
【背景技術】
【０００２】
従来から、所定の条件に従ってライトが点灯する機器が知られている。たとえば、国際公開第１３／０９９６３０号（特許文献１）には、表示装置が開示されている。特許文献１によると、テレビジョン受像機は、所定の画像を表示する表示部の周辺の少なくとも一部に配置され、所定の輝度で点灯するインジケータを有するインジケータユニットと、表示部に表示する所定の画像を、インジケータの点灯と連携させるように制御する表示制御部とを備える。
【先行技術文献】
【特許文献】
【０００３】
【特許文献１】国際公開第１３／０９９６３０号
【発明の概要】
【発明が解決しようとする課題】
【０００４】
本発明の一態様の目的は、機器から出力される音声または機器の状態などに適した光を出力することができる光出力システムを提供することにある。
【課題を解決するための手段】
【０００５】
この発明のある態様に従うと、スピーカと、光出力部と、スピーカから第１の音声と第２の音声とを出力させるとともに、第２の音声出力に対応して光出力部に光を出力させるためのプロセッサとを備える、光出力システムが提供される。なお、２種類の音声は、取得元や入手元が異なるものであってもよいし、取得元や入手元が同じで音声の種類や情報の種類などが異なるものであってもよい。また第２の音声に対応した光は、音声と同じテンポで点滅するものであってもよいし、音程に合わせて輝度や強度などを変化させるものであってもよい。
【０００６】
好ましくは、光出力システムは、ディスプレイをさらに備える。プロセッサは、ディスプレイに第１の音声または第２の音声の少なくともいずれかに対応する映像を表示させる。
【０００７】
好ましくは、プロセッサは、ディスプレイの光出力部の近傍に、光出力部から出力される光に合わせて光を出力させる。
【０００８】
好ましくは、プロセッサは、ディスプレイに第１の音声に対応する映像と第２の音声に対応する映像とを並べて表示させる。
【０００９】
好ましくは、光出力部はディスプレイの一部または全部である。
【００１０】
好ましくは、第２の音声は、副音声である。
【００１１】
好ましくは、第２の音声は、次の番組に関する情報を含む。
【００１２】
好ましくは、光出力システムは、他の電気機器またはサーバと通信するための通信インターフェイスをさらに備える。第２の音声は、他の電気機器またはサーバからの情報を含む。
【００１３】
好ましくは、光出力システムは、他の電気機器またはサーバと通信するための通信インターフェイスをさらに備える。プロセッサは、他の電気機器またはサーバからの情報に基づいて、光出力部から出力される光の色を設定する。
【００１４】
好ましくは、光出力システムは、マイクをさらに備える。プロセッサは、マイクから入力された音に基づいてスピーカに第２の音声を出力する。
【００１５】
好ましくは、プロセッサは、取得したテキストに基づいてスピーカに第２の音声を出力させる。
【００１６】
この発明の別の局面に従うと、スピーカと、光出力部と、スピーカから第１の音声と第２の音声とを出力させるとともに、第２の音声の出力に対応して光出力部に光を出力させるためのプロセッサとを備える、テレビが提供される。
【００１７】
この発明の別の局面に従うと、スピーカと光出力部とを含む光出力システムの制御方法が提供される。制御方法は、スピーカから第１の音声と第２の音声とを出力させるステップと、第２の音声の出力に対応して光出力部に光を出力させるステップと、を備える。
【００１８】
この発明の別の局面に従うと、スピーカと光出力部とプロセッサとを含む光出力システムのためのプログラムが提供される。プログラムは、スピーカから第１の音声と第２の音声とを出力させるステップと、第２の音声の出力に対応して光出力部に光を出力させるステップと、をプロセッサに実行させる。
【００１９】
この発明の別の局面に従うと、スピーカと光出力部とプロセッサとを含む光出力システムのためのプログラムを記録するコンピュータ読取可能な記録媒体が提供される。プログラムは、スピーカから第１の音声と第２の音声とを出力させるステップと、第２の音声の出力に対応して光出力部に光を出力させるステップと、をプロセッサに実行させる。
【発明の効果】
【００２０】
以上のように、本発明の一態様によれば、機器から出力される音声または機器の状態などに適した光を出力することができる光出力システムが提供される。
【図面の簡単な説明】
【００２１】
【図１】第１の実施の形態にかかる光出力システム１００を示す正面図である。
【図２】第１の実施の形態にかかる光出力システム１００の構成を表わすブロック図である。
【図３】第１の実施の形態にかかる光出力システム１００における情報処理を示すフローチャートである。
【図４】第１の実施の形態にかかる音声解析と光出力とを示すイメージ図である。
【図５】第２の実施の形態にかかる音声解析と光出力とを示すイメージ図である。
【図６】第３の実施の形態にかかる光出力システム１００としてのカーナビゲーションシステムを示す正面図である。
【図７】第３の実施の形態にかかる光出力システム１００としてのスマートフォンを示す正面図である。
【図８】第３の実施の形態にかかる光出力システム１００としてのスピーカを示す正面図である。
【図９】第４の実施の形態にかかる光出力システム１００を示す正面図である。
【図１０】第５の実施の形態にかかる光出力システム１００の動作概要を示すイメージ図である。
【図１１】第５の実施の形態にかかる繰り返しデータベース１２１を示すイメージ図である。
【図１２】第５の実施の形態にかかる通知データベース１２２を示すイメージ図である。
【図１３】第５の実施の形態にかかる光出力システム１００における情報処理を示すフローチャートである。
【図１４】第６の実施の形態にかかる感情データベース１２３を示すイメージ図である。
【図１５】第６の実施の形態にかかる光出力システム１００における情報処理を示すフローチャートである。
【図１６】第７の実施の形態にかかる時間帯データベース１２４を示すイメージ図である。
【図１７】第７の実施の形態にかかる光出力システム１００における情報処理を示すフローチャートである。
【図１８】第８の実施の形態にかかる光出力システム１００の動作概要を示すイメージ図である。
【図１９】第８の実施の形態にかかる緊急度データベース１２５を示すイメージ図である。
【図２０】第８の実施の形態にかかる光出力システム１００における情報処理を示すフローチャートである。
【図２１】第９の実施の形態にかかる光出力システム１００の動作概要を示すイメージ図である。
【図２２】第９の実施の形態にかかるユーザデータベース１２６を示すイメージ図である。
【図２３】第９の実施の形態にかかる光出力システム１００における情報処理を示すフローチャートである。
【図２４】第１０の実施の形態にかかる光出力システム１００の動作概要を示すイメージ図である。
【図２５】第１０の実施の形態にかかる光出力システム１００における情報処理を示すフローチャートである。
【図２６】第１１の実施の形態にかかる光出力システム１００の第１の動作概要を示すイメージ図である。
【図２７】第１１の実施の形態にかかる光出力システム１００の第２の動作概要を示すイメージ図である。
【図２８】第１１の実施の形態にかかる光出力システム１００の第３の動作概要を示すイメージ図である。
【図２９】第１２の実施の形態にかかる光出力システム１００の動作概要を示すイメージ図である。
【図３０】第１２の実施の形態にかかるテーマデータベース１２７を示すイメージ図である。
【図３１】第１２の実施の形態にかかる光出力システム１００における情報処理を示すフローチャートである。
【図３２】第１３の実施の形態にかかる光出力システム１００の動作概要を示すイメージ図である。
【図３３】第１３の実施の形態にかかる光出力システム１００における情報処理を示すフローチャートである。
【図３４】第１４の実施の形態にかかる光出力システム１００の第１の動作概要を示すイメージ図である。
【図３５】第１４の実施の形態にかかる光出力システム１００の第２の動作概要を示すイメージ図である。
【図３６】第１５の実施の形態にかかる光出力システム１００の動作概要を示すイメージ図である。
【図３７】第１６の実施の形態にかかる光出力システム１００の第１の動作概要を示すイメージ図である。
【図３８】第１６の実施の形態にかかる光出力システム１００の第２の動作概要を示すイメージ図である。
【図３９】第１７の実施の形態にかかる光出力システム１００の動作概要を示すイメージ図である。
【図４０】第１８の実施の形態にかかる光出力システム１００の動作概要を示すイメージ図である。
【図４１】第１９の実施の形態にかかる光出力システム１００の動作概要を示すイメージ図である。
【図４２】第１９の実施の形態にかかるタイマデータベース１２８を示すイメージ図である。
【図４３】第１９の実施の形態にかかる光出力システム１００における情報処理を示すフローチャートである。
【図４４】第２０の実施の形態にかかる光出力システム１００の動作概要を示すイメージ図である。
【図４５】第２２の実施の形態にかかる光出力システム１００の動作パターンを示すイメージ図である。
【図４６】第２２の実施の形態にかかる光出力システム１００の音量変更の第１の動作概要を示すイメージ図である。
【図４７】第２２の実施の形態にかかる光出力システム１００の音量変更の第２の動作概要を示すイメージ図である。
【図４８】第２２の実施の形態にかかる光出力システム１００のチャンネル変更の第１の動作概要を示すイメージ図である。
【図４９】第２２の実施の形態にかかる光出力システム１００のチャンネル変更の第２の動作概要を示すイメージ図である。
【図５０】第２２の実施の形態にかかる光出力システム１００のチャンネル変更の第３の動作概要を示すイメージ図である。
【図５１】第２２の実施の形態にかかる光出力システム１００の「出会う」の動作概要を示すイメージ図である。
【図５２】第２２の実施の形態にかかる光出力システム１００の「お知らせ」の動作概要を示すイメージ図である。
【図５３】第２３の実施の形態にかかる光出力システム１００の動作概要を示すイメージ図である。
【図５４】第２４の実施の形態にかかる光出力システム１００の動作概要を示すイメージ図である。
【図５５】第２５の実施の形態にかかる光出力システム１００の動作概要を示すイメージ図である。
【図５６】第２６の実施の形態にかかる光出力システム１００の動作概要を示すイメージ図である。
【図５７】第２７の実施の形態にかかる送受信量データベース１２０２を示すイメージ図である。
【図５８】第２７の実施の形態にかかる光出力システム１００における情報処理を示すフローチャートである。
【図５９】第２８の実施の形態にかかる電波強度データベース１２０３を示すイメージ図である。
【図６０】第２８の実施の形態にかかる光出力システム１００における情報処理を示すフローチャートである。
【図６１】第２９の実施の形態にかかるエラーデータベース１２０４を示すイメージ図である。
【図６２】第２９の実施の形態にかかる光出力システム１００における情報処理を示すフローチャートである。
【図６３】第３０の実施の形態にかかる異常レベルデータベース１２０５を示すイメージ図である。
【図６４】第３０の実施の形態にかかる光出力システム１００における情報処理を示すフローチャートである。
【図６５】第３１の実施の形態にかかる音量データベース１２０６を示すイメージ図である。
【図６６】第３１の実施の形態にかかる光出力システム１００における情報処理を示すフローチャートである。
【図６７】第３２の実施の形態にかかる明るさデータベース１２０７を示すイメージ図である。
【図６８】第３２の実施の形態にかかる光出力システム１００における情報処理を示すフローチャートである。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜光出力システムの動作概要＞
【００２３】
図１を参照して、本実施の形態においては、光出力システム１００はテレビである。光出力システム１００は、テレビジョン放送を受信することによって、ディスプレイから映像を出力しながら、スピーカから当該映像に対応する第１の音声を出力する。ただし、光出力システム１００は、インターネットなどを介してサーバから各種の情報を取得するものであってもよい。
【００２４】
本実施の形態においては、光出力システム１００は、テレビジョン放送とは別の第２の音声を出力する。本実施の形態においては、第２の音声は、インターネットなどを介してダウンロードされるユーザの予定や天気予報などである。
【００２５】
また、本実施の形態においては、光出力システム１００は、ＬＥＤライト１３５を搭載する。そして、光出力システム１００は、第２の音声に対応するように、ＬＥＤライト１３５を発光する。
【００２６】
このように、本実施の形態にかかる光出力システム１００は、第２の音声に対応してＬＥＤライト１３５が発光するので、その都度ユーザが第２の音声が出力されていることに気が付きやすい。
【００２７】
以下、このような機能を実現するための光出力システム１００の具体的な構成について詳述する。
＜光出力システム１００の構成＞
【００２８】
まず、本実施の形態にかかる光出力システム１００の構成の一態様について説明する。なお、図２は、本実施の形態にかかる光出力システム１００の構成を表わすブロック図である。
【００２９】
図２を参照して、光出力システム１００は、主たる構成要素として、ＣＰＵ（Central Processing Unit）１１０と、メモリ１２０と、ディスプレイ１３０と、ＬＥＤライト１３５と、操作部１４０と、アンテナ１５０と、通信インターフェイス１６０と、スピーカ１７０と、マイク１８０と、ＧＰＳ（Global Positioning System）１９０と、カメラ１９５と、明るさセンサ１９６と、音声信号出力インターフェイス１９７と、タイマ１９８とを含む。
【００３０】
ＣＰＵ１１０は、メモリ１２０に記憶されているプログラムを実行することによって、光出力システム１００の各部を制御する。たとえば、ＣＰＵ１１０は、メモリ１２０に格納されているプログラムを実行し、各種のデータを参照することによって、後述する各種の処理を実行する。
【００３１】
メモリ１２０は、各種のＲＡＭ（Random  Access  Memory）、各種のＲＯＭ（Read-Only  Memory）などによって実現される。メモリ１２０は、ＣＰＵ１１０によって実行されるプログラムや、ＣＰＵ１１０によるプログラムの実行により生成されたデータ、第２の音声と光の輝度・強度・店舗との対応関係などを記憶する。
【００３２】
ディスプレイ１３０は、ＣＰＵ１１０からの信号に基づいて、テキストや画像を表示する。ＬＥＤライト１３５は、ＣＰＵ１１０からの信号に基づいて、第２の音声に呼応して発行する。
【００３３】
操作部１４０は、サービスの管理者などの命令を受け付けて、当該命令をＣＰＵ１１０に入力する。
【００３４】
アンテナ１５０は、テレビジョン放送などを受信する。より詳細には、光出力システム１００は、アンテナ１５０の代わりに、屋外のアンテナからのテレビジョン放送の信号を受信するコネクタを有してもよい。
【００３５】
通信インターフェイス１６０は、ＣＰＵ１１０からのデータを、インターネット、キャリア網、ルータなどを介して、サーバなどの他の装置に送信する。逆に、通信インターフェイス１６０は、インターネット、キャリア網、ルータなどを介してサーバなどの他の装置からのデータを受信して、ＣＰＵ１１０に受け渡す。
【００３６】
スピーカ１７０は、ＣＰＵ１１０からの信号に基づいて、音声を出力する。マイク１８０は、外部からの音声に基づいて音声信号を作成し、ＣＰＵ１１０に入力する。
【００３７】
ＧＰＳ１９０は、光出力システム１００の現在位置を取得してＣＰＵ１１０に受け渡す。
【００３８】
カメラ１９５は、ＣＰＵ１１０からの信号に基づいて、光出力システム１００の外部を撮影する。撮影された画像データはメモリ１２０に格納される。
【００３９】
明るさセンサ１９６は、ＣＰＵ１１０からの信号に基づいて、光出力システム１００の周囲の明るさを検知する。検知結果は、メモリ１２０に格納される。
【００４０】
音声信号出力インターフェイス１９７は、外部のスピーカやアンプやヘッドホンやイヤホンなどに音声信号を出力する。
【００４１】
タイマ１９８は、所定のときからの経過時間を計測したり、所定のときまでの残り時間を計測したりして、当該時間をＣＰＵ１１０に受け渡す。
＜光出力システム１００における情報処理＞
【００４２】
次に、図３を参照しながら、本実施の形態にかかる光出力システム１００における情報処理について説明する。光出力システム１００のＣＰＵ１１０は、第２の音声を出力する際に、以下の処理を実行する。
【００４３】
まず、ＣＰＵ１１０は、図４の（Ａ）に示すように、第２の音声を解析する（ステップＳ１０２）。
【００４４】
ＣＰＵ１１０は、解析された音声に対応する光の出力方法を特定する（ステップＳ１０４）。たとえば、大きい音声に対応して光の強度を強くしたり、小さい音声に対応して光の強度を弱くしたり、高い音声に対応して赤色に近い色にするために輝度を設定したり、低い音声に対応して青色に近い色にするために輝度を設定したり、変動が大きな音声に対応して点滅のテンポを早めたり、変動が小さな声に対応して点滅のテンポを遅くしたりする。
【００４５】
ＣＰＵ１１０は、スピーカ１７０に音声を出力させるとともに、図４の（Ｂ）に示すように、決定された出力方法に基づいて、ＬＥＤライト１３５を発光させる（ステップＳ１０６）。
【００４６】
本実施の形態にかかる光出力システム１００に関しては、第２の音声の出力が視覚的により強調されるようになる。そして、ＬＥＤライト１３５が点灯している際に、ユーザが番組の情報ではない情報が出力されていることを視覚的に認識することができる。また、たとえば、重要度を示す情報を含むデータを受信して、ＣＰＵ１１０が、重要な情報ほど大きくディスプレイ１３０に表示したり、ＬＥＤライト１３５を強く光らせたりしてもよい。
＜第２の実施の形態＞
【００４７】
第１の実施の形態では、図４に示すように、解析された第２の音声に対応する光の出力方法を特定するもであった。本実施の形態においては、第２の音声が出力されている間、一定の強度や輝度で点灯したり点滅したりする。
【００４８】
たとえば、光出力システム１００のＣＰＵ１１０は、図５の（Ａ）に示すように、第２の音声を解析する（ステップＳ１０２）。ＣＰＵ１１０は、第２の音声が出力される期間を特定することによって、光の出力方法を特定する（ステップＳ１０４）。ＣＰＵ１１０は、図５の（Ｂ）に示すように、決定された出力方法に基づいて、ＬＥＤライト１３５を発光させる（ステップＳ１０６）。
＜第３の実施の形態＞
【００４９】
第１の実施の形態では、光出力システム１００がテレビであった。しかしながら、光出力システム１００は、テレビには限定されない。
【００５０】
たとえば、光出力システム１００は、図６に示すように、カーナビゲーションシステム１００Ｂであってもよい。より詳細には、光出力システム１００は、道路案内情報を表示しながら、第１の音声としてカーナビゲーション情報を出力する。そして、光出力システム１００は、第２の音声として、他のお知らせや話しかけを出力する。本実施の形態においても、光出力システム１００は、第２の音声に対応して、ＬＥＤライト１３５が点灯したり点滅したりする。これによって、ユーザは、第２の音声が出力されていることを認識することができる。
【００５１】
あるいは、光出力システム１００は、図７に示すように、スマートフォン１００Ｃ（またはスマートテレビ）などであってもよい。より詳細には、光出力システム１００は、動画閲覧サイトやテレビなどから取得したコンテンツの映像を表示しながら、第１の音声としてコンテンツの音声を出力する。そして、光出力システム１００は、第２の音声として、他のお知らせや話しかけを出力する。本実施の形態においても、光出力システム１００は、第２の音声に対応して、ＬＥＤライト１３５が点灯したり点滅したりする。
【００５２】
あるいは、光出力システム１００は、図８に示すように、ディスプレイを搭載しない装置であってもよい。たとえば、光出力システム１００はスピーカ１００Ｄであってもよい。より詳細には、光出力システム１００は、第１の音声として、ＣＤやアンテナからの取得したコンテンツの音声を出力する。そして、光出力システム１００は、第２の音声として、他のお知らせや話しかけを出力する。本実施の形態においても、光出力システム１００は、第２の音声に対応して、ＬＥＤライト１３５が点灯したり点滅したりする。
【００５３】
これによって、カーナビゲーションシステム１００Ｂの音声とは違う、サービスやアプリケーションの音声が出力されていることが解る。
＜第４の実施の形態＞
【００５４】
第１〜第３の実施の形態においては、光出力システム１００が、第２の音声に応じてＬＥＤライト１３５を発光するものであった。しかしながら、このような形態には限られない。光出力システム１００は、第２の音声に合わせて、ＬＥＤライト１３５の代わりに、ディスプレイ１３０の一部または全部を発光するものであってもよい。
【００５５】
あるいは、図９に示すように、光出力システム１００のＣＰＵ１１０は、スピーカ１７０から出力される第２の音声に合わせて、ＬＥＤライト１３５を点滅または点灯させつつ、ディスプレイ１３０の一部を点滅または点灯させてもよい。たとえば、ＣＰＵ１１０は、ＬＥＤライト１３５が点滅・点灯する際に、ディスプレイ１３０に、ＬＥＤライト１３５の近傍から光を波状で出力させてもよい。
＜第５の実施の形態＞
【００５６】
第１〜第４の実施の形態においては、光出力システム１００が、第２の音声に応じてＬＥＤライト１３５を発光するものであった。光出力システム１００は、第２の音声を複数回繰り返し出力させてもよい。
【００５７】
たとえば、図１０に示すように、光出力システム１００は、第２の音声としてのユーザへの通知メッセージを所定の時間毎に複数回出力する。そして、回数が増えるにつれて、光出力システム１００は、第２の音声を大きくしたリ、なげやりな口調になったり、ＬＥＤライト１３５の強度や輝度やテンポを変化させたりしてもよい。
【００５８】
より詳細には、光出力システム１００のメモリ１２０は、繰り返しデータベース１２１を記憶する。図１１に示すように、繰り返しデータベース１２１は、出力の回数、音量、光の強度、光の色（輝度）、光の点滅のテンポ、の関係を格納する。そして、メモリ１２０は、さらに、図１２に示すように、通知データベース１２２を記憶する。なお、通知データベース１２２は、通知メッセージ毎に、通知ＩＤと、音声データまたはそのアドレス、出力回数毎のフラグの対応関係を含む。
【００５９】
以下では、図１３を参照して、本実施の形態にかかる光出力システム１００における情報処理について説明する。光出力システム１００のＣＰＵ１１０は、第２の音声を出力する際に、以下の処理を実行する。
【００６０】
まず、ＣＰＵ１１０は、図４の（Ａ）に示すように、第２の音声を解析する（ステップＳ１０２）。そして、ＣＰＵ１１０は、通知データベース１２２を参照して、出力すべき音声の次の出力が何回目であるかを特定する（ステップＳ１０３）。
【００６１】
ＣＰＵ１１０は、解析された音声に対応する光の出力方法を特定する（ステップＳ１０４）。本実施の形態においては、ＣＰＵ１１０は、繰り返しデータベース１２１を参照して、音声の出力回数に基づいて、音声の出力方法と光の出力方法とを特定する。
【００６２】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。なお、出力回数が分かるように、例えば、ディスプレイの外周近くに何らかの表示を行っても良い。
【００６３】
これによって、ユーザがあるメッセージ音声を聞き逃してしまっても、何度も通知を受けていることが、ユーザが後からみて分かる。また、光出力システム１００があたかも人間のように感情を有しているようにユーザに感じられる。
＜第６の実施の形態＞
【００６４】
上記の第５の実施の形態においては、出力回数に基づいて光の出力方法が異なるものであった。しかしながら、このような形態には限られない。たとえば、繰り返しデータベース１２１の代わりに、または繰り返しデータベース１２１に加えて、光出力システム１００のメモリ１２０は、感情データベース１２３を記憶してもよい。
【００６５】
より詳細には、図１４を参照して、感情データベース１２３は、機器の動作や機器の周囲の状態などに対応する感情、光の強度、光の色（輝度）、光の点滅のテンポ、の関係を格納する。感情は、光出力システム１００が人間と同様の感情を有していると仮定した場合の光出力システム１００の感情である。たとえば、光出力システム１００に悲しい感情が設定された際は青い光を、怒りの感情が設定された場合は赤い光を出力することが好ましい。これによって、光出力システム１００がまるで情緒を有しているようにユーザが感じることができる。なお、感情データベース１２３は、感情毎の音量を記憶してもよい。
【００６６】
以下では、図１５を参照して、本実施の形態にかかる光出力システム１００における情報処理について説明する。光出力システム１００のＣＰＵ１１０は、第２の音声を出力する際に、以下の処理を実行する。
【００６７】
まず、ＣＰＵ１１０は、図４の（Ａ）に示すように、第２の音声を解析する（ステップＳ１０２）。そして、ＣＰＵ１１０は、光出力システム１００の現在の動作状態などに応じて感情を特定したり、通信インターフェイス１６０を介してサーバから光出力システム１００の感情を取得したりする（ステップＳ１０３Ｂ）。
【００６８】
ＣＰＵ１１０は、解析された音声に対応する光の出力方法を特定する（ステップＳ１０４）。本実施の形態においては、ＣＰＵ１１０は、感情データベース１２３を参照して、光出力システム１００の感情に基づいて、音声の出力方法と光の出力方法とを特定する。
【００６９】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。
【００７０】
これによって、光出力システム１００があたかも人間のように感情を有しているようにユーザに感じられる。
＜第７の実施の形態＞
【００７１】
あるいは、繰り返しデータベース１２１の代わりに、または繰り返しデータベース１２１に加えて、光出力システム１００のメモリ１２０は、時間帯データベース１２４を記憶してもよい。より詳細には、図１６を参照して、時間帯データベース１２４は、時間帯、光の強度、光の色（輝度）、光の点滅のテンポ、の関係を格納する。なお、時間帯データベース１２４は、時間帯毎の音量を記憶してもよい。
【００７２】
以下では、図１７を参照して、本実施の形態にかかる光出力システム１００における情報処理について説明する。光出力システム１００のＣＰＵ１１０は、第２の音声を出力する際に、以下の処理を実行する。
【００７３】
まず、ＣＰＵ１１０は、図４の（Ａ）に示すように、第２の音声を解析する（ステップＳ１０２）。そして、ＣＰＵ１１０は、現在の時間帯を取得する（ステップＳ１０３Ｃ）。
【００７４】
ＣＰＵ１１０は、解析された音声に対応する光の出力方法を特定する（ステップＳ１０４）。本実施の形態においては、ＣＰＵ１１０は、時間帯データベース１２４を参照して、現在の時間帯に応じた、音声の出力方法と光の出力方法とを特定する。
【００７５】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。
【００７６】
これによって、ユーザは、時間帯に合わせた気持ち良さを感じることができる。
＜第８の実施の形態＞
【００７７】
あるいは、図１８に示すように、通常の通知メッセージと警告レベルが高い通知メッセージとで、音声や光の出力方法を異ならせてもよい。すなわち、繰り返しデータベース１２１の代わりに、または繰り返しデータベース１２１に加えて、光出力システム１００のメモリ１２０は、緊急度データベース１２５を記憶してもよい。より詳細には、図１９を参照して、緊急度データベース１２５は、緊急度、光の強度、光の色（輝度）、光の点滅のテンポ、の関係を格納する。なお、緊急度データベース１２５は、緊急度毎の音量を記憶してもよい。
【００７８】
以下では、図２０を参照して、本実施の形態にかかる光出力システム１００における情報処理について説明する。光出力システム１００のＣＰＵ１１０は、第２の音声を出力する際に、以下の処理を実行する。
【００７９】
まず、ＣＰＵ１１０は、図４の（Ａ）に示すように、外部から取得したデータから第２の音声を取得する。ＣＰＵ１１０は、第２の音声を解析する（ステップＳ１０２）。特に、ＣＰＵ１１０は、当該データから通知情報の緊急度を取得する（ステップＳ１０３Ｄ）。なお、サーバからの当該データに緊急度が含まれていてもよいし、ＣＰＵ１１０がサーバからの当該データから緊急度を判断してもよい。
【００８０】
ＣＰＵ１１０は、解析された音声に対応する光の出力方法を特定する（ステップＳ１０４）。本実施の形態においては、ＣＰＵ１１０は、緊急度データベース１２５を参照して、緊急度に応じた、音声の出力方法と光の出力方法とを特定する。
【００８１】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。
【００８２】
これによって、ユーザは、視覚的に緊急度や重要度などが把握できる。
＜第９の実施の形態＞
【００８３】
あるいは、図２１に示すように、光出力システム１００の周囲にいるユーザに応じて、音声や光の出力方法を異ならせてもよい。すなわち、繰り返しデータベース１２１の代わりに、または繰り返しデータベース１２１に加えて、光出力システム１００のメモリ１２０は、ユーザデータベース１２６を記憶してもよい。より詳細には、図２２を参照して、ユーザデータベース１２６は、ユーザ毎に、ユーザＩＤ、光の強度、光の色（輝度）、光の点滅のテンポ、の関係を格納する。なお、ユーザデータベース１２６は、ユーザ毎の音量なども記憶してもよい。
【００８４】
これによって、色覚障害者に対しても適切な光を出力することができるようになる。あるいは、高齢のユーザに対して光を弱めて、当該ユーザの目の疲れを低減することができるようになる。あるいは、聴覚障害者に対して、字幕の有無を光で通知してもよい。
【００８５】
以下では、図２３を参照して、本実施の形態にかかる光出力システム１００における情報処理について説明する。光出力システム１００のＣＰＵ１１０は、第２の音声を出力する際に、以下の処理を実行する。
【００８６】
まず、ＣＰＵ１１０は、図４の（Ａ）に示すように、第２の音声を解析する（ステップＳ１０２）。そして、ＣＰＵ１１０は、当該カメラ１９５からの画像に基づいて、光出力システム１００の周囲のユーザを特定する（ステップＳ１０３Ｅ）。なお、ＣＰＵ１１０は、マイク１８０からの音声に基づいて周囲のユーザを特定してもよいし、通信インターフェイス１６０を介してＷｉＦｉやｂｌｕｅｔｏｏｔｈを介してユーザのスマートフォンを検知することによって周囲のユーザを特定してもよい。
【００８７】
ＣＰＵ１１０は、解析された音声に対応する光の出力方法を特定する（ステップＳ１０４）。本実施の形態においては、ＣＰＵ１１０は、ユーザデータベース１２６を参照して、ユーザに応じた、音声の出力方法と光の出力方法とを特定する。
【００８８】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。
【００８９】
これによって、それぞれのユーザの好みにカスタマイズすることができるし、障害者にも有効に情報を伝達することが可能になる。また、自分への接し方が他のユーザと異なるため、ユーザそれぞれが光出力システム１００に愛着を抱きやすくなる。
＜第１０の実施の形態＞
【００９０】
あるいは、図２４に示すように、光出力システム１００のＣＰＵ１１０は、テキストなどの緊急速報の情報を受け付けた際に、当該テキストを音声に変換し、当該音声を第２の音声として取り扱ってもよい。
【００９１】
以下では、図２５を参照して、本実施の形態にかかる光出力システム１００における情報処理について説明する。光出力システム１００のＣＰＵ１１０は、緊急速報情報を受信した際に、以下の処理を実行する。
【００９２】
まず、ＣＰＵ１１０は、受信したデータからテキストの緊急速報情報を取得する（ステップＳ２０２）。ＣＰＵ１１０は、当該テキストを音声に変換する（ステップＳ２０４）。ＣＰＵ１１０は、変換後の音声に対応する光の出力方法を特定する（ステップＳ２０６）。
【００９３】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。
【００９４】
視力が悪い人や目が不自由な人などが緊急情報を把握しやすくなる。また、ＬＥＤライト１３５と同期表示されるので、放送中の番組の情報と異なる緊急情報があることを把握しやすくなる。
＜第１１の実施の形態＞
【００９５】
あるいは、図２６に示すように、光出力システム１００のＣＰＵ１１０は、ディスプレイ１３０に２つの画面を表示しつつ、いずれかの画面の映像に対応する音声に合わせてＬＥＤライト１３５を発光させてもよい。なお、図２７に示すように、２つの画面の各々の下方のディスプレイ１３０の外側に複数のＬＥＤライト１３５，１３５を配置してもよい。あるいは、図２８に示すように、２つの画面の各々の下方のディスプレイ１３０内の一部を発光させる形態であってもよい。
【００９６】
どちらの画面の音声が出力されているか認識しやすくなる。なお、一方の音声を再生して、他方の音声の出力せずに出力した場合の音声に同期させてＬＥＤライト１３５を点灯・点滅させてもよい。あるいは、他のアプリケーションのコンテンツの音声を出力しつつ当該音声に合わせてＬＥＤライト１３５を点灯・点滅させてもよいし、他のアプリケーションのコンテンツの音声を出力せずに出力したが場合の音声に同期させてＬＥＤライト１３５を点灯・点滅させてもよい。
＜第１２の実施の形態＞
【００９７】
あるいは、図２９に示すように、光出力システム１００のＣＰＵ１１０は、次の番組の情報を受信して、スピーカ１７０に次の番組名を出力させてもよい。そして、本実施の形態においては、繰り返しデータベース１２１の代わりに、または繰り返しデータベース１２１に加えて、光出力システム１００のメモリ１２０は、テーマデータベース１２７を記憶してもよい。より詳細には、図３０を参照して、テーマデータベース１２７は、テーマやジャンル、光の強度、光の色（輝度）、光の点滅のテンポ、の関係を格納する。
【００９８】
以下では、図３１を参照して、本実施の形態にかかる光出力システム１００における情報処理について説明する。光出力システム１００のＣＰＵ１１０は、第２の音声を出力する際に、以下の処理を実行する。
【００９９】
まず、ＣＰＵ１１０は、図４の（Ａ）に示すように、外部から取得したデータから第２の音声としての次の番組に関する情報を取得する。ＣＰＵ１１０は、第２の音声を解析する（ステップＳ１０２）。特に、ＣＰＵ１１０は、当該データから次の番組のテーマやジャンルを特定する（ステップＳ１０３Ｆ）。なお、サーバからの当該データにテーマやジャンルが含まれていてもよいし、ＣＰＵ１１０が受信した当該データからテーマやジャンルを判断してもよい。
【０１００】
ＣＰＵ１１０は、解析された音声に対応する光の出力方法を特定する（ステップＳ１０４）。本実施の形態においては、ＣＰＵ１１０は、テーマデータベース１２７を参照して、次の番組のジャンルに応じた、音声の出力方法と光の出力方法とを特定する。
【０１０１】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。
【０１０２】
ユーザが次の番組のテーマやジャンルを把握することができる。
＜第１３の実施の形態＞
【０１０３】
あるいは、図３２に示すように、光出力システム１００のＣＰＵ１１０は、カメラ１９５からの画像データに基づいて、光出力システム１００の周囲のユーザが光出力システム１００の方へ向いていることを検知した際に、音声や光を出力してもよい。
【０１０４】
より詳細には、図３３に示すように、ＣＰＵ１１０は、出力すべきデータを取得すると、出力すべき音声が蓄積されていることを示すために、ＬＥＤライト１３５に光を出力させる（ステップＳ３０２）。ＣＰＵ１１０は、カメラ１９５を介して光出力システム１００の周囲のユーザを探索する（ステップＳ３０４）。
【０１０５】
ＣＰＵ１１０は、カメラ１９５からの画像に基づいて、光出力システム１００の周囲にユーザがいることを検知すると（ステップＳ３０４にてＹＥＳである場合）、取得したデータから音声データを作成する（ステップＳ３０６）。
【０１０６】
ＣＰＵ１１０は、音声データを解析して、解析された音声に対応する光の出力方法を特定する（ステップＳ３０８）。ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ３１０）。
【０１０７】
これによって、ユーザの都合がよいときに、光出力システム１００が音声を出力してくれる。ユーザは、光出力システム１００の生命感を感じる、すなわち、あたかも光出力システム１００がユーザのことを思ってくれているように感じる。
＜第１４の実施の形態＞
【０１０８】
あるいは、図３４に示すように、光出力システム１００が、インターフォン３００１などの他の電気機器と接続されてもよい。そして、インターフォン３００１から入力される音声データを光出力システム１００が出力する際に、光出力システム１００が当該音声に合わせて光を出力するものであってもよい。
【０１０９】
あるいは、図３５に示すように、光出力システム１００が、電話３００２や洗濯機３００３などの他の電気機器と接続されてもよい。そして、電話３００２や洗濯機３００３から入力される音声データを光出力システム１００が出力する際に、光出力システム１００が当該音声に合わせて光を出力するものであってもよい。
【０１１０】
なお、電気機器は、インターフォン３００１や電話３００２や洗濯機３００３に限らず、電子レンジ、エアコン、冷蔵庫、掃除機、空気清浄器、加湿器、除湿器、炊飯器、照明、などの家電、テレビ、ハードディスクレコーダ、プロジェクタ、音楽プレーヤーなどのＡＶ（オーディオ・ビジュアル）機器、組み込み照明、太陽光発電機、給湯器、温水洗浄便座コントローラなどの住宅設備、などであってもよい。
【０１１１】
これによって、ユーザが、電気機器からの通知を、ドラマなどのテレビ番組内の音声を勘違いする可能性を低減することができる。また、電気機器からの通知であることを知らせるためのダイアログボックスによって、ドラマなどのテレビ番組の映像が隠れることを回避することができるようになる。
＜第１５の実施の形態＞
【０１１２】
また、光出力システム１００は、他のタイプのディスプレイであってもよい。たとえば、図３６に示すようなゴーグル型のディスプレイ１００Ｅであってもよい。光出力システム１００は、ディスプレイ１３０に映像を表示しながら、スピーカ１７０としてのヘッドホンから音声を出力する。特に本実施の形態においては、光出力システム１００のＣＰＵ１１０は、マイク１８０から光出力システム１００の外部の音声を取得して、ヘッドホンのスピーカ１７０から当該音声を出力しつつ、当該音声に合わせてディスプレイ１３０またはＬＥＤライト１３５を点灯または点滅させる。
【０１１３】
なお、当然ながら、光出力システム１００のＣＰＵ１１０は、通信インターフェイス１６０を介して、サーバなどから外部の音声を取得して、ヘッドホンのスピーカ１７０から当該音声を出力しつつ、当該音声に合わせてディスプレイ１３０またはＬＥＤライト１３５を点灯または点滅させてもよい。
【０１１４】
これによって、視聴中のコンテンツとは異なる音声が出力されていることを認識することができる。
＜第１６の実施の形態＞
【０１１５】
光出力システム１００は、他の装置と通信するものであってもよい。たとえば、図３７に示すように、本実施の形態においては、光出力システム１００は、テレビ１００Ｘであって、他のテレビ１００Ｙと通信可能に構成されている。光出力システム１００としてのテレビ１００Ｘ，１００Ｙの各々は、テレビ番組の映像を出力しながら、当該テレビ番組の音声を第１の音声として出力する。
【０１１６】
そして、本実施の形態においては、テレビ１００Ｘ，１００Ｙのうちの一方のＣＰＵ１１０は、マイク１８０を介してユーザの話声を取得して、通信インターフェイス１６０を介して当該ユーザの話声を他方のテレビに送信する。そして、ＣＰＵ１１０は、通信インターフェイス１６０を介して、他のテレビからユーザの話声を受信して、第２の音声として当該話声をスピーカ１７０から出力しつつ、当該話声に合わせてＬＥＤライト１３５を点灯・点滅させる。なお、光出力システム１００は、２つのテレビの間で２人のユーザの話声をやり取りしてもよいし、さらに多くのテレビの間でさらに多くのユーザの話声をやり取りしてもよい。
【０１１７】
また、テレビジョン放送を出力する形態に限らず、図３８に示すように、ＣＰＵ１１０は、ゲーム中にユーザ同士の話声を第２の音声としてスピーカ１７０から出力しながら、当該話声に合わせてＬＥＤライト１３５を点灯・点滅させてもよい。
【０１１８】
これによって、番組やゲームの音と、相手の声とを区別しやすくなる。また、相手を身近に感じることができる場合がある。また、相手からの音声であることを知らせるためのダイアログボックスでドラマなどのテレビ番組やゲームの映像が隠れることを回避することができるようになる。
＜第１７の実施の形態＞
【０１１９】
あるいは、図３９に示すように、光出力システム１００は、自身の音声信号出力インターフェイスに外部アンプ３００Ｘが接続された場合に、外部アンプ３００Ｘが出力する音声を第２の音声としての取り扱ってもよい。すなわち、光出力システム１００のＣＰＵ１１０は、外部アンプ３００Ｘが接続されているか否かを判断し、外部アンプ３００Ｘが出力する音声に合わせて、ＬＥＤライト１３５を点灯・点滅させてもよい。これによって、どこから音声が出ているかを視覚的に認識することができる。
＜第１８の実施の形態＞
【０１２０】
あるいは、図４０に示すように、光出力システム１００は、ｂｌｕｅｔｏｏｔｈやＷｉＦｉを介してスマートフォンなどの端末３００Ｙからの音声データを第２の音声としてスピーカ１７０から出力してもよい。すなわち、ＣＰＵ１１０は、端末３００Ｙからの音声をスピーカ１７０から出力しつつ、当該音声に合わせてディスプレイ１３０またはＬＥＤライト１３５を点灯または点滅させる。また、上述した通り、光出力システム１００のＣＰＵ１１０は、通信インターフェイス１６０を介してサーバなどから音声データを受信して、当該音声をスピーカ１７０から出力しつつ、当該音声に合わせてディスプレイ１３０またはＬＥＤライト１３５を点灯または点滅させてもよい。番組の音声とスマートフォン３００のアプリケーションの音声とを明確に区別しやすくなる。
＜第１９の実施の形態＞
【０１２１】
あるいは、図４１に示すように、光出力システム１００は、タイマ機能を有してもよい。そして、光出力システム１００のＣＰＵ１１０は、ディスプレイ１３０にテレビ番組の映像を出力させながら、当該テレビ番組の音声を第１の音声としてスピーカ１７０に出力させる。
【０１２２】
そして、本実施の形態においては、光出力システム１００のＣＰＵ１１０は、タイマ１９８に関する音声を第２の音声としてスピーカ１７０から出力しつつ、当該第２の音声に合わせてＬＥＤライト１３５を点灯・点滅させる。
【０１２３】
より詳細には、本実施の形態においては、繰り返しデータベース１２１の代わりに、または繰り返しデータベース１２１に加えて、光出力システム１００のメモリ１２０は、タイマデータベース１２８を記憶してもよい。
【０１２４】
より詳細には、図４２を参照して、タイマデータベース１２８は、タイマ１９８の残り時間、光の強度、光の色（輝度）、光の点滅のテンポ、の関係を格納する。
【０１２５】
以下では、図４３を参照して、本実施の形態にかかる光出力システム１００における情報処理について説明する。光出力システム１００のＣＰＵ１１０は、第２の音声を出力する際に、以下の処理を実行する。
【０１２６】
まず、ＣＰＵ１１０は、図４の（Ａ）に示すように、第２の音声を解析する（ステップＳ１０２）。そして、ＣＰＵ１１０は、タイマ１９８の残時間を取得する（ステップＳ１０３Ｇ）。
【０１２７】
ＣＰＵ１１０は、解析された音声に対応する光の出力方法を特定する（ステップＳ１０４）。本実施の形態においては、ＣＰＵ１１０は、タイマデータベース１２８を参照して、音声の出力方法と光の出力方法とを特定する。
【０１２８】
ＣＰＵ１１０は、決定された音声の出力方法に基づいてスピーカ１７０に音声を出力させるとともに、図４の（Ｂ）に示すように、決定された光の出力方法に基づいて、ＬＥＤライト１３５を発光させる（ステップＳ１０６）。
【０１２９】
これによって、ユーザがタイマの通知に気付きやすくなる。
＜第２０の実施の形態＞
【０１３０】
あるいは、図４４に示すように、光出力システム１００のＣＰＵ１１０は、チャンネルの自動選局が完了した際に、自動選局が完了した旨や出力するテレビ番組名などをスピーカ１７０から出力するとともに、当該メッセージに合わせてＬＥＤライト１３５を点灯・点滅させる。
【０１３１】
あるいは、光出力システム１００のＣＰＵ１１０は、チャンネルの自動選局中に、自動選局中である旨などをスピーカ１７０から出力するとともに、当該メッセージに合わせてＬＥＤライト１３５を点灯・点滅させる。
【０１３２】
あるいは、光出力システム１００のＣＰＵ１１０は、チャンネルの自動選局を開始する際に、自動選局を開始する旨などをスピーカ１７０から出力するとともに、当該メッセージに合わせてＬＥＤライト１３５を点灯・点滅させる。
【０１３３】
これによって、ユーザは、自動選局が実行されたこと、または自動選局が完了したことを認識しやすくなる。
＜第２１の実施の形態＞
【０１３４】
あるいは、光出力システム１００のＣＰＵ１１０は、副音声を出力する際に、当該副音声を第２の音声として取り扱ってもよい。すなわち、ＣＰＵ１１０は、副音声に合わせて、ＬＥＤライト１３５を発光させてもよい。ユーザが、副音声の出力を認識しやすくなる。
【０１３５】
あるいは、光出力システム１００のＣＰＵ１１０は、翻訳を出力する際に、当該翻訳を第２の音声として取り扱ってもよい。そして、ＣＰＵ１１０は、当該翻訳音声に合わせて、ＬＥＤライト１３５を発光させてもよい。ユーザが、翻訳音声の出力を認識しやすくなる。特に、光出力システム１００の翻訳機能によって翻訳している際には、ユーザが、光出力システム１００による翻訳の音声が出力されていることを認識できるため、放送局による翻訳と勘違いされる可能性を低減できる。
【０１３６】
あるいは、光出力システム１００のＣＰＵ１１０は、Ｔｗｉｔｔｅｒ（登録商標）を自動的に読み上げて、当該読み上げ音声を第２の音声として取り扱ってもよい。そして、ＣＰＵ１１０は、読み上げ音声に合わせて、ＬＥＤライト１３５を発光させてもよい。ユーザが、Ｔｗｉｔｔｅｒ（登録商標）のテキストが音声出力されていることを認識しやすくなる。
＜第２２の実施の形態＞
【０１３７】
第１〜第２１の実施の形態の技術は、以下のような光出力システム１００にも利用することができる。本実施の形態においては、光出力システム１００はテレビであって、動作毎に異なる方法で光を出力する。
【０１３８】
たとえば、光出力システム１００のメモリ１２０は、図４５に示すような動作パターンデータベース１２０１を記憶する。動作パターンデータベース１２０１は、動作毎に、起動契機と、画面連動の有無と、光の色と、光の出力方法との対応関係を含む。光出力システム１００のＣＰＵ１１０は、動作パターンデータベース１２０１を参照することによって、自身の動作や周囲の状況に応じてＬＥＤライト１３５を点灯・点滅させる。
【０１３９】
（１）光出力システム１００は、光出力システム１００が起動された際に、「目覚める」動作を実行する。具体的には、ＣＰＵ１１０は、光出力システム１００が起動された際に、ディスプレイ１３０に、ゆっくりと小さな光を生じさせて、当該光から画面を開始させる。あるいは、ＣＰＵ１１０は、ＬＥＤライト１３５の強度をゆっくりと高めていきながら、ディスプレイ１３０に映像を表示させる。
【０１４０】
（２）光出力システム１００は、光出力システム１００の電源がＯＦＦされた際に、「眠る」動作を実行する。具体的には、ＣＰＵ１１０は、光出力システム１００の電源がＯＦＦされた際に、ディスプレイ１３０に、画面を消しつつ、光を少しずつ小さく弱くしていく。あるいは、ＣＰＵ１１０は、ＬＥＤライト１３５の強度をゆっくりと弱めていきながら、ディスプレイ１３０の映像を消す。
【０１４１】
（３）光出力システム１００は、リモコンや本体操作部から命令を受け付けた際に、「反応する」動作を実行する。具体的には、ＣＰＵ１１０は、リモコンや本体操作部から命令を受け付けた際に、ディスプレイ１３０の一部にパッと光を表示させたり、ＬＥＤライト１３５をパッと光らせたりする。
【０１４２】
（４）光出力システム１００は、音量を変更するための命令を受け付けた際に、「反応する（連動）」動作を実行する。具体的には、ＣＰＵ１１０は、リモコンや本体操作部から音量を変更するための命令を受け付けた際に、ディスプレイ１３０の一部に音量を示すための画像を表示する。より詳細には、ＣＰＵ１１０は、ディスプレイ１３０の下部の左右中央部に、図４６と図４７に示すような、半円状の、インジケータを表示させる。換言すれば、音量を示す複数のバーが、半円状または扇状に配列される。そして、ＣＰＵ１１０は、音量が大きくなればなるほど、左側から右側に向かって、多くのバーをディスプレイ１３０に表示する。
【０１４３】
図４６は、音量を変化させるための命令を１回だけ入力した場合の、ディスプレイ１３０の画面推移を示すイメージ図である。図４７は、音量を上げるための命令を連続して入力した場合の、ディスプレイ１３０の画面推移を示すイメージ図である。図４６と図４７に示すように、ＣＰＵ１１０は、ディスプレイ１３０に、自動車などのスピードメータのように、変更後の音量に合わせて、放射状に配列される複数のバーの数を変更する。
【０１４４】
より詳細には、ユーザが音量を上げる命令を１回押すと、ＣＰＵ１１０は変更後の音量のインジケータを所定時間表示してから当該インジケータを消す。インジケータが消える前に、ユーザが音量を上げる命令をさらに押すと、ＣＰＵ１１０は音量のインジケータの画像を消さずにそのまま表示を変更する。ユーザが音量を上げる命令を長押しすると、ＣＰＵ１１０は音量のインジケータの画像を消さずに連続して変更する。
【０１４５】
ここで、ユーザが音量を変更するためのボタンを押すたびにＬＥＤライト１３５またはディスプレイ１３０の一部または全部が光ることが好ましい。あるいは、ユーザが音量を変更するためのボタンを押している間、ＬＥＤライト１３５またはディスプレイ１３０の一部または全部が光っていることが好ましい。
【０１４６】
なお、音量を下げる場合の動作は、音量を上げる場合の動作と同様であるためここでは説明を繰り返さない。
【０１４７】
（５）光出力システム１００は、チャンネルを変更するための命令を受け付けた際に、「反応する（連動）」動作を実行する。具体的には、ＣＰＵ１１０は、リモコンや本体操作部からチャンネルを変更するための命令を受け付けた際に、ディスプレイ１３０の一部にチャンネルを示す画像またはテキストを表示する。より詳細には、図４８と図４９と図５０とに示すように、ＣＰＵ１１０は、ディスプレイ１３０の下部の左右中央部に変更後のチャンネルを表示させる。
【０１４８】
図４８は、チャンネル指定命令を入力した場合の、ディスプレイ１３０の画面推移を示すイメージ図である。ＣＰＵ１１０は、ディスプレイ１３０に、下部に変更後のチャンネルを表示させ、上部に変更後のチャンネルや番組情報を表示させ、画面全体を黒に切り替えてから、変更後のチャンネルの映像を表示させる。
【０１４９】
図４９は、チャンネルをアップさせるための命令を入力した場合の、ディスプレイ１３０の画面推移を示すイメージ図である。ＣＰＵ１１０は、ディスプレイ１３０に、下部にチャンネルアップすることを示す画像を表示させ、上部左側に変更後のチャンネルや番組情報を表示させ、所定時間後に、画面全体を黒に切り替えてから、変更後のチャンネルの映像を表示させる。
【０１５０】
図５０は、チャンネルアップキーを長押しした場合の、ディスプレイ１３０の画面推移を示したイメージ図である。ＣＰＵ１１０は、ディスプレイ１３０に、下部に変更後のチャンネルアップ中であることを示す画像を表示させ、上部左側に変更後のチャンネルや番組情報を表示させる。ＣＰＵ１１０は、チャンネルアップキーが押されている間、下部に変更後のチャンネルアップ中であることを示す画像を表示させながら、上部のチャンネルや番組情報を切り替えていく。チャンネルアップキーが押されなくなると、ＣＰＵ１１０は、画面全体を黒に切り替えてから、変更後のチャンネルの映像をディスプレイ１３０に表示させる。
【０１５１】
ここで、ユーザがチャンネルを変更するためのボタンを押すたびにＬＥＤライト１３５またはディスプレイ１３０の一部または全部が光ることが好ましい。あるいは、ユーザがチャンネルを変更するためのボタンを押している間、ＬＥＤライト１３５またはディスプレイ１３０の一部または全部が光っていることが好ましい。
【０１５２】
（６）光出力システム１００は、ユーザから話しかけられた際に、「聞く」動作を実行する。具体的には、ＣＰＵ１１０は、マイク１８０を介してユーザからの音声を検知した際に、ディスプレイ１３０の一部またはＬＥＤライト１３５を、相槌を打っているような一定のリズムで点滅させる。
【０１５３】
（７）光出力システム１００は、ユーザへの「提案する」動作を実行する。具体的には、ＣＰＵ１１０は、スピーカ１７０からユーザへの提案情報を出力しつつ、ディスプレイ１３０の一部またはＬＥＤライト１３５に、初めに様々な淡い色の光を交じり合うように出力させ、その後に光を弱くして、その後に標準色の光を強めていく。たとえば、光をふわふわと柔らかく点滅させたり、往復させたりすることが好ましい。
【０１５４】
（８）光出力システム１００は、ユーザへの「話す」動作を実行する。具体的には、ＣＰＵ１１０は、スピーカ１７０からユーザへの会話を出力しつつ、ディスプレイ１３０の一部またはＬＥＤライト１３５に、当該会話に合わせたリズムで点滅させる。たとえば、光をふわふわと柔らかく点滅させたり、往復させたりすることが好ましい。
【０１５５】
（９）光出力システム１００は、初期設定の際に「出会う」動作を実行する。具体的には、ＣＰＵ１１０は、初期設定を完了した際に、ディスプレイ１３０に数秒間映像を表示させる。たとえば、図５１に示すように、初期設定が完了すると、泡が広がっていくような映像を表示させる。あるいは、ＷｉＦｉやｂｌｕｅｔｏｏｔｈの接続完了時に、ＣＰＵ１１０が、ディスプレイ１３０の一部またはＬＥＤライト１３５に光を出力させてもよい。
【０１５６】
あるいは、ソフトウェアのバージョンアップが完了した際に、ＣＰＵ１１０が、ディスプレイ１３０の一部またはＬＥＤライト１３５に光を出力させてもよい。あるいは、ソフトウェアのバージョンアップ中に、ユーザによって光出力システム１００の電源がＯＦＦされないように、ＣＰＵ１１０が、ディスプレイ１３０の一部またはＬＥＤライト１３５に光を出力させてもよい。
【０１５７】
（１０）光出力システム１００は、予約動作を実行する際や、予約動作の所定時間前に、「お知らせ」動作を実行する。具体的には、ＣＰＵ１１０は、ディスプレイ１３０の一部またはＬＥＤライト１３５に、「反応（小）」と同様の出力をさせたり、その他の点灯・点滅動作をさせたりする。これによって、お知らせ時に、映像の邪魔をしなくてよい。ただし、図５２に示すように、ＣＰＵ１１０は、ディスプレイ１３０にお知らせの情報のテキストを表示させたり、スピーカ１７０にお知らせの情報を音声出力させたりしてもよい。
＜第２３の実施の形態＞
【０１５８】
その他にも、図５３に示すように、光出力システム１００のＣＰＵ１１０は、外部のアンプ３００Ｘが接続されているにも関わらずアンプ３００Ｘから音が出ていないことを検知して、スピーカ１７０に第２の音声としてのエラー情報を出力させたり、ディスプレイ１３０の一部やＬＥＤライト１３５に当該音声に合わせて光を出力させたりすることが好ましい。これによって、意図しない出力状態にユーザが気付きやすくなる。
＜第２４の実施の形態＞
【０１５９】
あるいは、図５４に示すように、タイマ１９８などを利用して、光出力システム１００が自動的に電源ＯＦＦされる際やタイマによるスリープ状態に移行する際などに、音声や光を出力してもよい。より詳細には、ＣＰＵ１１０は、周囲が暗くなったことや、ユーザがいなくなったことなどを検知して、スピーカ１７０に第２の音声としての「電源をＯＦＦします。」という音声を出力させつつ、ディスプレイ１３０の一部やＬＥＤライト１３５に当該音声に合わせて光を出力させることが好ましい。これによって、ユーザは、電源のＯＦＦやタイマによるスリープ状態への移行に気が付きやすくなる。
＜第２５の実施の形態＞
【０１６０】
あるいは、図５５に示すように、光出力システム１００のＣＰＵ１１０は、アンテナ１５０や通信インターフェイス１６０を介して、緊急警報放送を受信したときに、その旨を第２の音声としてスピーカ１７０から出力させつつ、ディスプレイ１３０の一部やＬＥＤライト１３５に当該音声に合わせて光を出力させることが好ましい。これによって、ユーザは、新たな緊急情報を受信したことを認識しやすくなる。
＜第２６の実施の形態＞
【０１６１】
あるいは、図５６に示すように、光出力システム１００のＣＰＵ１１０は、録画した番組を出力しているときに、ディスプレイ１３０の一部やＬＥＤライト１３５に当該番組の音声に合わせて光を出力させてもよい。あるいは、逆に、光出力システム１００のＣＰＵ１１０は、録画ではない番組を出力しているときに、ディスプレイ１３０の一部やＬＥＤライト１３５に当該番組の音声に合わせて光を出力させてもよい。これによって、ユーザが、録画が出力されている際に、ＬＩＶＥ情報と勘違いする可能性を低減することができる。
＜第２７の実施の形態＞
【０１６２】
あるいは、光出力システム１００のＣＰＵ１１０は、通信量に応じて、光を出力してもよい。本実施の形態においては、繰り返しデータベース１２１の代わりに、または繰り返しデータベース１２１に加えて、光出力システム１００のメモリ１２０は、送受信量データベース１２０２を記憶してもよい。より詳細には、図５７を参照して、送受信量データベース１２０２は、データの送受信量、光の強度、光の色（輝度）、光の点滅のテンポ、の関係を格納する。
【０１６３】
図５８を参照して、本実施の形態にかかる光出力システム１００は以下のような情報処理を実行する。まず、ＣＰＵ１１０は、データの送受信量を取得する（ステップＳ３０２）。ＣＰＵ１１０は、送受信量データベース１２０２を参照して、送受信量に対応する光の出力方法を特定する（ステップＳ３０４）。ＣＰＵ１１０は、特定された光の出力方法に基づいて、ディスプレイ１３０の一部やＬＥＤライト１３５を発光させる（ステップＳ３０６）。
＜第２８の実施の形態＞
【０１６４】
あるいは、光出力システム１００のＣＰＵ１１０は、電波強度に応じて、光を出力してもよい。すなわち、繰り返しデータベース１２１の代わりに、または繰り返しデータベース１２１に加えて、光出力システム１００のメモリ１２０は、電波強度データベース１２０３を記憶してもよい。より詳細には、図５９を参照して、電波強度データベース１２０３は、無線通信のための電波の強度、光の強度、光の色（輝度）、光の点滅のテンポ、の関係を格納する。
【０１６５】
図６０を参照して、本実施の形態にかかる光出力システム１００は以下のような情報処理を実行する。まず、ＣＰＵ１１０は、通信インターフェイス１６０を介して、電波の強度を測定する（ステップＳ３０２）。ＣＰＵ１１０は、電波強度データベース１２０３を参照して、電波強度に対応する光の出力方法を特定する（ステップＳ３０４）。ＣＰＵ１１０は、特定された光の出力方法に基づいて、ディスプレイ１３０の一部やＬＥＤライト１３５を発光させる（ステップＳ３０６）。
＜第２９の実施の形態＞
【０１６６】
あるいは、光出力システム１００のＣＰＵ１１０は、エラーの種類に応じて、光を出力してもよい。すなわち、繰り返しデータベース１２１の代わりに、または繰り返しデータベース１２１に加えて、光出力システム１００のメモリ１２０は、エラーデータベース１２０４を記憶してもよい。より詳細には、図６１を参照して、エラーデータベース１２０４は、エラーの種類、光の強度、光の色（輝度）、光の点滅のテンポ、の関係を格納する。たとえば、光出力システム１００は、異常のレベルが低い場合は、弱く青い光を出力し、異常のレベルが高い場合は、強く赤い光を出力する。
【０１６７】
なお、エラーの種類は、リモコン番号が間違っていることや、チャイルドロックがかかっていることなどがあげられる。あるいは、各種の設定に関して、所定値以上または所定値以下の異常値が設定されている場合などがあげられる。
【０１６８】
図６２を参照して、本実施の形態にかかる光出力システム１００は以下のような情報処理を実行する。まず、ＣＰＵ１１０は、通信インターフェイス１６０を介して、エラーの種類を特定する（ステップＳ３０２）。ＣＰＵ１１０は、エラーデータベース１２０４を参照して、エラーの種類に対応する光の出力方法を特定する（ステップＳ３０４）。ＣＰＵ１１０は、特定された光の出力方法に基づいて、ディスプレイ１３０の一部やＬＥＤライト１３５を発光させる（ステップＳ３０６）。
＜第３０の実施の形態＞
【０１６９】
あるいは、光出力システム１００のＣＰＵ１１０は、緊急放送のレベルに応じて、光を出力してもよい。すなわち、繰り返しデータベース１２１の代わりに、または繰り返しデータベース１２１に加えて、光出力システム１００のメモリ１２０は、異常レベルデータベース１２０５を記憶してもよい。より詳細には、図６３を参照して、異常レベルデータベース１２０５は、事態の異常のレベル、光の強度、光の色（輝度）、光の点滅のテンポ、の関係を格納する。
【０１７０】
図６４を参照して、本実施の形態にかかる光出力システム１００は以下のような情報処理を実行する。まず、ＣＰＵ１１０は、取得した緊急情報と光出力システム１００の住所や郵便番号などに基づいて、緊急事態の異常のレベルを特定する（ステップＳ３０２）。たとえば、光出力システム１００の位置の震度や津波のレベルに基づいて緊急のレベルを特定する。なお、津波の情報であっても、光出力システム１００の位置が海から離れている場合は、逆に緊急度が低い旨を出力してもよい。ＣＰＵ１１０は、異常レベルデータベース１２０５を参照して、緊急事態の異常のレベルに対応する光の出力方法を特定する（ステップＳ３０４）。ＣＰＵ１１０は、特定された光の出力方法に基づいて、ディスプレイ１３０の一部やＬＥＤライト１３５を発光させる（ステップＳ３０６）。
＜第３１の実施の形態＞
【０１７１】
あるいは、光出力システム１００のＣＰＵ１１０は、光出力システム１００が出力中の音量の大きさに応じて、光を出力してもよい。すなわち、繰り返しデータベース１２１の代わりに、または繰り返しデータベース１２１に加えて、光出力システム１００のメモリ１２０は、音量データベース１２０６を記憶してもよい。より詳細には、図６５を参照して、音量データベース１２０６は、音量のレベル、光の強度、光の色（輝度）、光の点滅のテンポ、の関係を格納する。
【０１７２】
図６６を参照して、本実施の形態にかかる光出力システム１００は以下のような情報処理を実行する。まず、ＣＰＵ１１０は、光出力システム１００が出力中の音量の大きさを特定する（ステップＳ３０２）。ＣＰＵ１１０は、音量データベース１２０６を参照して、音量に対応する光の出力方法を特定する（ステップＳ３０４）。ＣＰＵ１１０は、特定された光の出力方法に基づいて、ディスプレイ１３０の一部やＬＥＤライト１３５を発光させる（ステップＳ３０６）。
＜第３２の実施の形態＞
【０１７３】
あるいは、光出力システム１００のＣＰＵ１１０は、光出力システム１００が周囲の明るさまたはディスプレイ１３０の明るさに応じて、光を出力してもよい。すなわち、繰り返しデータベース１２１の代わりに、または繰り返しデータベース１２１に加えて、光出力システム１００のメモリ１２０は、明るさデータベース１２０７を記憶してもよい。より詳細には、図６７を参照して、明るさデータベース１２０７は、明るさのレベル、光の強度、光の色（輝度）、光の点滅のテンポ、の関係を格納する。
【０１７４】
図６８を参照して、本実施の形態にかかる光出力システム１００は以下のような情報処理を実行する。まず、ＣＰＵ１１０は、光出力システム１００の周囲の明るさまたはディスプレイ１３０の明るさを特定する（ステップＳ３０２）。ＣＰＵ１１０は、明るさデータベース１２０７を参照して、現在の明るさに対応する光の出力方法を特定する（ステップＳ３０４）。ＣＰＵ１１０は、特定された光の出力方法に基づいて、ディスプレイ１３０の一部やＬＥＤライト１３５を発光させる（ステップＳ３０６）。
【０１７５】
なお、明るさデータベース１２０７は、明るさに対応する音声の音程や音質を記憶してもよい。そして、ＣＰＵ１１０は、明るさデータベース１２０７に基づいて、周囲が明るい場合は高い音程の楽しい音声を大きめの音量でスピーカ１７０から出力し、周囲が暗い場合は低い音程の落ち着いた音声を小さめの音量でスピーカ１７０から出力することが好ましい。
【０１７６】
これによって、ＬＥＤ輝度が周囲の状況に応じて変化するため、ユーザが不快感を受けにくい。また、明るさに応じて、音量や音質が変化するので、ユーザに心地よさを与えることができる。
＜第３３の実施の形態＞
【０１７７】
あるいは、光出力システム１００のＣＰＵ１１０は、光出力システム１００のディスプレイ１３０の自動調光が有効になっている場合に、バックライトの強さに応じて、ディスプレイ１３０の一部やＬＥＤライト１３５を発光させてもよい。これによって、ユーザは、自動調光機能が働いていることを認識しやすくなる。
＜その他の応用例＞
【０１７８】
本発明は、システム或いは装置にプログラムを供給することによって達成される場合にも適用できることはいうまでもない。そして、本発明を達成するためのソフトウェアによって表されるプログラムを格納した記憶媒体（あるいはメモリ）を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１７９】
この場合、記憶媒体から読出されたプログラムコード自体が前述した実施の形態の機能を実現することになり、そのプログラムコードを記憶した記憶媒体は本発明を構成することになる。
【０１８０】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１８１】
さらに、記憶媒体から読み出されたプログラムコードが、コンピュータに挿入された機能拡張ボードやコンピュータに接続された機能拡張ユニットに備わる他の記憶媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
＜まとめ＞
【０１８２】
上記の実施の形態においては、スピーカ１７０と、光出力部１３５，１３０と、スピーカ１７０から第１の音声と第２の音声とを出力させるとともに、第２の音声出力に対応して光出力部１３５，１３０に光を出力させるためのプロセッサ１１０とを備える、光出力システム１００が提供される。
【０１８３】
好ましくは、光出力システム１００は、ディスプレイ１３０をさらに備える。プロセッサ１１０は、ディスプレイ１３０に第１の音声または第２の音声の少なくともいずれかに対応する映像を表示させる。
【０１８４】
好ましくは、プロセッサ１１０は、ディスプレイ１３０の光出力部１３５の近傍に、光出力部１３５から出力される光に合わせて光を出力させる。
【０１８５】
好ましくは、プロセッサ１１０は、ディスプレイ１３０に第１の音声に対応する映像と第２の音声に対応する映像とを並べて表示させる。
【０１８６】
好ましくは、光出力部１３５はディスプレイ１３０の一部または全部である。
【０１８７】
好ましくは、第２の音声は、副音声または翻訳音声である。
【０１８８】
好ましくは、第２の音声は、次の番組に関する情報を含む。
【０１８９】
好ましくは、光出力システム１００Ｘは、他の電気機器１００Ｙまたはサーバと通信するための通信インターフェイス１６０をさらに備える。第２の音声は、他の電気機器１００Ｙまたはサーバからの情報を含む。
【０１９０】
好ましくは、光出力システム１００は、他の電気機器１００Ｙまたはサーバと通信するための通信インターフェイス１６０をさらに備える。プロセッサ１１０は、他の電気機器１００Ｙまたはサーバからの情報に基づいて、光出力部１３５から出力される光の色を設定する。
【０１９１】
好ましくは、光出力システム１００は、マイク１８０をさらに備える。プロセッサ１１０は、マイク１８０から入力された音に基づいてスピーカ１７０に第２の音声を出力する。
【０１９２】
好ましくは、プロセッサ１１０は、取得したテキストに基づいてスピーカ１７０に第２の音声を出力させる。
【０１９３】
上記の実施の形態においては、スピーカ１７０と、光出力部１３５，１３０と、スピーカ１７０から第１の音声と第２の音声とを出力させるとともに、第２の音声の出力に対応して光出力部１３５，１３０に光を出力させるためのプロセッサ１１０とを備える、テレビ１００が提供される。
【０１９４】
上記の実施の形態においては、スピーカ１７０と光出力部１３５，１３０とを含む光出力システム１００の制御方法が提供される。制御方法は、スピーカ１７０から第１の音声と第２の音声とを出力させるステップと、第２の音声の出力に対応して光出力部１３５，１３０に光を出力させるステップと、を備える。
【０１９５】
上記の実施の形態においては、スピーカ１７０と光出力部１３５，１３０とプロセッサ１１０とを含む光出力システム１００のためのプログラムが提供される。プログラムは、スピーカ１７０から第１の音声と第２の音声とを出力させるステップと、第２の音声の出力に対応して光出力部１３５，１３０に光を出力させるステップと、をプロセッサ１１０に実行させる。
【０１９６】
上記の実施の形態においては、スピーカ１７０と光出力部１３５，１３０とプロセッサ１１０とを含む光出力システム１００のためのプログラムを記録するコンピュータ読取可能な記録媒体が提供される。プログラムは、スピーカ１７０から第１の音声と第２の音声とを出力させるステップと、第２の音声の出力に対応して光出力部１３５，１３０に光を出力させるステップと、をプロセッサ１１０に実行させる。
【０１９７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１９８】
１００      ：光出力システム
１１０      ：プロセッサ（ＣＰＵ）
１２０      ：メモリ
１２１      ：繰り返しデータベース
１２２      ：通知データベース
１２３      ：感情データベース
１２４      ：時間帯データベース
１２５      ：緊急度データベース
１２６      ：ユーザデータベース
１２７      ：テーマデータベース
１２８      ：タイマデータベース
１３０      ：光出力部（ＬＥＤライト、ディスプレイ）
１４０      ：操作部
１５０      ：アンテナ
１６０      ：通信インターフェイス
１７０      ：スピーカ
１８０      ：マイク
１９０      ：ＧＰＳ
１９５      ：カメラ
１９６      ：明るさセンサ
３００Ｘ    ：外部アンプ
３００Ｙ    ：端末
１２０１    ：動作パターンデータベース
１２０２    ：送受信量データベース
１２０３    ：電波強度データベース
１２０４    ：エラーデータベース
１２０５    ：異常レベルデータベース
１２０６    ：音量データベース
１２０７    ：明るさデータベース
３００１    ：インターフォン
３００２    ：電話
３００３    ：洗濯機
【図１】
2018074410.tif 000003
【図２】
2018074410.tif 000004
【図３】
2018074410.tif 000005
【図４】
2018074410.tif 000006
【図５】
2018074410.tif 000007
【図６】
2018074410.tif 000008
【図７】
2018074410.tif 000009
【図８】
2018074410.tif 000010
【図９】
2018074410.tif 000011
【図１０】
2018074410.tif 000012
【図１１】
2018074410.tif 000013
【図１２】
2018074410.tif 000014
【図１３】
2018074410.tif 000015
【図１４】
2018074410.tif 000016
【図１５】
2018074410.tif 000017
【図１６】
2018074410.tif 000018
【図１７】
2018074410.tif 000019
【図１８】
2018074410.tif 000020
【図１９】
2018074410.tif 000021
【図２０】
2018074410.tif 000022
【図２１】
2018074410.tif 000023
【図２２】
2018074410.tif 000024
【図２３】
2018074410.tif 000025
【図２４】
2018074410.tif 000026
【図２５】
2018074410.tif 000027
【図２６】
2018074410.tif 000028
【図２７】
2018074410.tif 000029
【図２８】
2018074410.tif 000030
【図２９】
2018074410.tif 000031
【図３０】
2018074410.tif 000032
【図３１】
2018074410.tif 000033
【図３２】
2018074410.tif 000034
【図３３】
2018074410.tif 000035
【図３４】
2018074410.tif 000036
【図３５】
2018074410.tif 000037
【図３６】
2018074410.tif 000038
【図３７】
2018074410.tif 000039
【図３８】
2018074410.tif 000040
【図３９】
2018074410.tif 000041
【図４０】
2018074410.tif 000042
【図４１】
2018074410.tif 000043
【図４２】
2018074410.tif 000044
【図４３】
2018074410.tif 000045
【図４４】
2018074410.tif 000046
【図４５】
2018074410.tif 000047
【図４６】
2018074410.tif 000048
【図４７】
2018074410.tif 000049
【図４８】
2018074410.tif 000050
【図４９】
2018074410.tif 000051
【図５０】
2018074410.tif 000052
【図５１】
2018074410.tif 000053
【図５２】
2018074410.tif 000054
【図５３】
2018074410.tif 000055
【図５４】
2018074410.tif 000056
【図５５】
2018074410.tif 000057
【図５６】
2018074410.tif 000058
【図５７】
2018074410.tif 000059
【図５８】
2018074410.tif 000060
【図５９】
2018074410.tif 000061
【図６０】
2018074410.tif 000062
【図６１】
2018074410.tif 000063
【図６２】
2018074410.tif 000064
【図６３】
2018074410.tif 000065
【図６４】
2018074410.tif 000066
【図６５】
2018074410.tif 000067
【図６６】
2018074410.tif 000068
【図６７】
2018074410.tif 000069
【図６８】
2018074410.tif 000070
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
スピーカと、
光出力部と、
ディスプレイと、
前記ディスプレイにテレビジョン映像を出力させ、前記スピーカから第１の音声としてのテレビジョン映像の音声を出力させると同時に前記テレビジョン映像の音声とは別の第２の音声を出力させ、前記第２の音声の出力に対応して前記光出力部に光を出力させるためのプロセッサとを備える、光出力システム。
【請求項２】
スピーカと、
光出力部と、
ディスプレイと、
前記ディスプレイにカーナビゲーション用の映像を出力させ、前記スピーカから第１の音声としてのカーナビゲーション用の音声を出力させると同時に前記カーナビゲーション用の音声とは別の第２の音声を出力させ、前記第２の音声の出力に対応して前記光出力部に光を出力させるためのプロセッサとを備える、光出力システム。
【請求項３】
前記プロセッサは、前記ディスプレイのうちの前記光出力部に最も近い部分との近傍に、前記光出力部から出力される光に合わせて光を出力させる、請求項１または２に記載の光出力システム。
【請求項４】
前記プロセッサは、前記光出力部から出力される光に合わせて、前記ディスプレイの前記光出力部に最も近い部分から広がる波状の光を出力させる、請求項３に記載の光出力システム。
【請求項５】
前記プロセッサは、前記ディスプレイに前記第１の音声に対応する映像と前記第２の音声に対応する映像とを並べて表示させる、請求項１から４のいずれか１項に記載の光出力システム。
【請求項６】
前記第２の音声は、次の番組に関する情報を含む、請求項１に記載の光出力システム。
【請求項７】
他の電気機器またはサーバと通信するための通信インターフェイスをさらに備え、
前記第２の音声は、前記他の電気機器または前記サーバからの情報を含む、請求項１から６のいずれか１項に記載の光出力システム。
【請求項８】
他の電気機器またはサーバと通信するための通信インターフェイスをさらに備え、
前記プロセッサは、前記他の電気機器または前記サーバからの情報に基づいて、前記光出力部から出力される光の色を設定する、請求項１から７のいずれか１項に記載の光出力システム。
【請求項９】
マイクをさらに備え、
前記プロセッサは、前記マイクから入力された音に基づいて前記第２の音声を前記スピーカに出力させる、請求項１から８のいずれか１項に記載の光出力システム。
【請求項１０】
前記プロセッサは、取得したテキストに基づいて前記第２の音声を前記スピーカに出力させる、請求項１から９のいずれか１項に記載の光出力システム。
【請求項１１】
スピーカと、
光出力部と、
ディスプレイと、
前記ディスプレイにテレビジョン映像を出力させ、前記スピーカから第１の音声としてのテレビジョン映像の音声を出力させると同時に前記テレビジョン映像の音声とは別の第２の音声を出力させ、前記第２の音声の出力に対応して前記光出力部に光を出力させるためのプロセッサとを備える、テレビ。
【請求項１２】
スピーカと光出力部とディスプレイとを含む光出力システムの制御方法であって、
前記ディスプレイにテレビジョン映像を出力させるステップと、
前記スピーカから第１の音声としてのテレビジョン映像の音声を出力させると同時に前記テレビジョン映像の音声とは別の第２の音声を出力させるステップと、
前記第２の音声の出力に対応して前記光出力部に光を出力させるステップと、を備える光出力システムの制御方法。
【請求項１３】
スピーカと光出力部とディスプレイとプロセッサとを含む光出力システムのためのプログラムであって、
前記ディスプレイにテレビジョン映像を出力させるステップと、
前記スピーカから第１の音声としてのテレビジョン映像の音声を出力させると同時に前記テレビジョン映像の音声とは別の第２の音声を出力させるステップと、
前記第２の音声の出力に対応して前記光出力部に光を出力させるステップと、を前記プロセッサに実行させるためのプログラム。
【請求項１４】
スピーカと光出力部とディスプレイとプロセッサとを含む光出力システムのためのプログラムを記録するコンピュータ読取可能な記録媒体であって、
前記ディスプレイにテレビジョン映像を出力させるステップと、
前記スピーカから第１の音声としてのテレビジョン映像の音声を出力させると同時に前記テレビジョン映像の音声とは別の第２の音声を出力させるステップと、
前記第２の音声の出力に対応して前記光出力部に光を出力させるステップと、を前記プロセッサに実行させるためのプログラムを記録するコンピュータ読取可能な記録媒体。
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
スピーカと、
光出力部と、
ディスプレイと、
前記ディスプレイにテレビジョン映像を出力させ、前記スピーカから第１の音声としてのテレビジョン映像の音声を出力させると同時に前記テレビジョン映像の音声とは別の第２の音声を出力させ、前記第２の音声の出力に対応して前記光出力部に光を出力させながら、前記ディスプレイのうちの前記光出力部に最も近い部分の近傍に、前記光出力部から出力される光に合わせて光を出力させるためのプロセッサとを備える、光出力システム。
【請求項２】
スピーカと、
光出力部と、
ディスプレイと、
前記ディスプレイにカーナビゲーション用の映像を出力させ、前記スピーカから第１の音声としてのカーナビゲーション用の音声を出力させると同時に前記カーナビゲーション用の音声とは別の第２の音声を出力させ、前記第２の音声の出力に対応して前記光出力部に光を出力させながら、前記ディスプレイのうちの前記光出力部に最も近い部分の近傍に、前記光出力部から出力される光に合わせて光を出力させるためのプロセッサとを備える、光出力システム。
【請求項３】
前記プロセッサは、前記光出力部から出力される光に合わせて、前記ディスプレイの前記光出力部に最も近い部分から広がる波状の光を出力させる、請求項１または２に記載の光出力システム。
【請求項４】
前記プロセッサは、前記ディスプレイに前記第１の音声に対応する映像と前記第２の音声に対応する映像とを並べて表示させる、請求項１から３のいずれか１項に記載の光出力システム。
【請求項５】
他の電気機器またはサーバと通信するための通信インターフェイスをさらに備え、
前記第２の音声は、前記他の電気機器または前記サーバからの情報を含む、請求項１から４のいずれか１項に記載の光出力システム。
【請求項６】
他の電気機器またはサーバと通信するための通信インターフェイスをさらに備え、
前記プロセッサは、前記他の電気機器または前記サーバからの情報に基づいて、前記光出力部から出力される光の色を設定する、請求項１から５のいずれか１項に記載の光出力システム。
【請求項７】
マイクをさらに備え、
前記プロセッサは、前記マイクから入力された音に基づいて前記第２の音声を前記スピーカに出力させる、請求項１から６のいずれか１項に記載の光出力システム。
【請求項８】
前記プロセッサは、取得したテキストに基づいて前記第２の音声を前記スピーカに出力させる、請求項１から７のいずれか１項に記載の光出力システム。
【請求項９】
スピーカと、
光出力部と、
ディスプレイと、
前記ディスプレイにテレビジョン映像を出力させ、前記スピーカから第１の音声としてのテレビジョン映像の音声を出力させると同時に前記テレビジョン映像の音声とは別の第２の音声を出力させ、前記第２の音声の出力に対応して前記光出力部に光を出力させながら、前記ディスプレイのうちの前記光出力部に最も近い部分の近傍に、前記光出力部から出力される光に合わせて光を出力させるためのプロセッサとを備える、テレビ。
【請求項１０】
スピーカと光出力部とディスプレイとを含む光出力システムの制御方法であって、
前記ディスプレイにテレビジョン映像を出力させるステップと、
前記スピーカから第１の音声としてのテレビジョン映像の音声を出力させると同時に前記テレビジョン映像の音声とは別の第２の音声を出力させるステップと、
前記第２の音声の出力に対応して前記光出力部に光を出力させながら、前記ディスプレイのうちの前記光出力部に最も近い部分の近傍に、前記光出力部から出力される光に合わせて光を出力させるステップと、を備える光出力システムの制御方法。
【請求項１１】
スピーカと光出力部とディスプレイとプロセッサとを含む光出力システムのためのプログラムであって、
前記ディスプレイにテレビジョン映像を出力させるステップと、
前記スピーカから第１の音声としてのテレビジョン映像の音声を出力させると同時に前記テレビジョン映像の音声とは別の第２の音声を出力させるステップと、
前記第２の音声の出力に対応して前記光出力部に光を出力させながら、前記ディスプレイのうちの前記光出力部に最も近い部分の近傍に、前記光出力部から出力される光に合わせて光を出力させるステップと、を前記プロセッサに実行させるためのプログラム。
【請求項１２】
スピーカと光出力部とディスプレイとプロセッサとを含む光出力システムのためのプログラムを記録するコンピュータ読取可能な記録媒体であって、
前記ディスプレイにテレビジョン映像を出力させるステップと、
前記スピーカから第１の音声としてのテレビジョン映像の音声を出力させると同時に前記テレビジョン映像の音声とは別の第２の音声を出力させるステップと、
前記第２の音声の出力に対応して前記光出力部に光を出力させながら、前記ディスプレイのうちの前記光出力部に最も近い部分の近傍に、前記光出力部から出力される光に合わせて光を出力させるステップと、を前記プロセッサに実行させるためのプログラムを記録するコンピュータ読取可能な記録媒体。